(57)【特許請求の範囲】
【請求項１】
サブラックとして形成された電磁遮へいハウジングであって、段重ね遮へい板として形成された第１の金属ハウジング部分（ＢＥ）と、横レールとして形成された第２の金属ハウジング部分（ＱＶ）とを備え、第１の金属ハウジング部分（ＢＥ）が折り曲げられた縁部（ＫＥ）を有し、この折り曲げられた縁部（ＫＥ）は第２の金属ハウジング部分（ＱＶ）の受入れ部内に導入可能でありかつこの第２の金属ハウジング部分（ＱＶ）に結合可能であり、第１の金属ハウジング部分（ＢＥ）と第２の金属ハウジング部分（ＱＶ）との間の接触のために接触ばね条片（ＦＥ）が用いられる電磁遮へいハウジングにおいて、
接触ばね条片（ＦＥ）がＵ字形に形成されて狭隘部（ＦＶ）を有し、
Ｕ字形の接触ばね条片（ＦＥ）が狭隘部（ＦＶ）によって第１の金属ハウジング部分（ＢＥ）の折り曲げられた縁部（ＫＥ）に締付け固定されることによって、Ｕ字形の接触ばね条片（ＦＥ）が第１の金属ハウジング部分（ＢＥ）の折り曲げられた縁部（ＫＥ）に取付けられ、
第２の金属ハウジング部分（ＱＶ）の受入れ部は突出部（ＱＫ）を有し、この突出部（ＱＫ）の後ろに、Ｕ字形の接触ばね条片（ＦＥ）の、接触片（ＦＫ）として形成された腕部分が引っ掛かり、
Ｕ字形の接触ばね条片（ＦＥ）により第１の金属ハウジング部分（ＢＥ）が第２の金属ハウジング部分（ＱＶ）に同時に接触されかつ係止される
ことを特徴とする電磁遮へいハウジング。
【請求項２】
第１の金属ハウジング部分（ＢＥ）が折り曲げられていない少なくとも一つの側縁を有し、この側縁が内側に位置する支持要素（ＢＫ）によって支持されていることを特徴とする請求項１記載の電磁遮へいハウジング。
【発明の詳細な説明】
電気回路などの擾乱のない機能を保証するために、これを電磁波に対して遮へいすることが必要である。このために電気回路を取り囲むハウジングは主に金属ハウジング部分で構成しなければならない。その遮へいは電磁波のハウジングへの侵入並びそこからの流出を阻止する。そのために特に接触ばね要素によって金属ハウジング部分間を完全に導電的に接続する必要がある。この接続は電磁周波数の高さに関係してできるだけ中断なく行われなければならない。
ドイツ連邦共和国実用新案登録第９２０９５１９．４号明細書において高周波密集形サブラック（集合体ホルダ）が知られている。このサブラックは前縁と後縁が折り曲げられたカバーを有している。このカバーを取付けた際にその前縁および後縁は二つの上側モジュールレール間の縦溝の中に係合する。その各縦溝の中に帯状のばね要素が挿入され、このばね要素は、カバーが上側モジュールレールに取付けられ取付けボルトでボルト結合された際、モジュールレールとカバーとの間の電気接触部を形成する。
この場合、モジュールレールとカバーとの間の電気的接続と機械的接続とが原理的に分離されているという欠点があり、これはカバーの取付けを難しくしている。電気的接続が縦溝に係合するカバーの折り曲げ縁で行われているのに対して、機械的接続はいずれの場合もボルト結合で行われている。
ドイツ連邦共和国特許出願公開第３９２８４６１号公報において、電磁遮へいサブラックが知られている。これは特に四辺のすべての縁が折り曲げられている金属カバー板を有している。更にサブラックに一つの縁に帯状の突出部を有する溝付き形材レールが設けられている。その溝の中にこの溝のほぼ全長にわたって延びるＶ形ばねがはめ込まれている。サブラックの幅にわたって延びるカバー板の折り曲げ縁は取付けの際に溝の中に押し込まれる。その場合折り曲げ縁はばね脚に押しつけられ、カバー板と形材レールとを導電的に接続する。側壁の方向に延びるカバー板の両端において折り曲げ縁は側壁の内側面に接している。側壁はその折り曲げ縁の高さに設けられた孔を介してカバー板の縁に機械的にボルト結合され、導電的な接続を生ずるように押し合わされる。
サブラックを組み立てる際に、Ｖ形ばねによって与えられる対向圧力がカバー板の折り曲げ縁にかかるという問題がある。即ちこのカバー板の縁部は上向きに曲げられ、組立のために経費をかけて追加的に形材レールに押しつけねばならない。従って続いてカバー板を側壁にボルト結合することは避けられない。更にカバー板がボルト結合されるにもかかわらず、その折り曲げ縁がばねによって上向きに曲げられ、事情によっては僅かに突出することが避けられない。これによって場合によってはカバー板が不利に永続的に湾曲し、電磁遮へい作用を害してしまう。
本発明の課題は、金属ハウジング部分を簡単に取付けることのできるような電磁遮へいハウジング、特にサブラックを提供することにある。
この課題は、サブラックとして形成された電磁遮へいハウジングであって、段重ね遮へい板として形成された第１の金属ハウジング部分と、横レールとして形成された第２の金属ハウジング部分とを備え、第１の金属ハウジング部分が折り曲げられた縁部を有し、この折り曲げられた縁部は第２の金属ハウジング部分の受入れ部内に導入可能でありかつこの第２の金属ハウジング部分に結合可能であり、第１の金属ハウジング部分と第２の金属ハウジング部分との間の接触のために接触ばね条片が用いられる電磁遮へいハウジングにおいて、
接触ばね条片がＵ字形に形成されて狭隘部を有し、
Ｕ字形の接触ばね条片が狭隘部によって第１の金属ハウジング部分の折り曲げられた縁部に締付け固定されることによって、Ｕ字形の接触ばね条片が第１の金属ハウジング部分の折り曲げられた縁部に取付けられ、
第２の金属ハウジング部分の受入れ部は突出部を有し、この突出部の後ろに、Ｕ字形の接触ばね条片の、接触片として形成された腕部分が引っ掛かり、
Ｕ字形の接触ばね条片により第１の金属ハウジング部分が第２の金属ハウジング部分に同時に接触されかつ係止されることによって解決される。
本発明に基づくハウジングの利点は、ハウジング部分例えばサブラックのカバー板の取付けが単純化されることにある。接触ばね条片によって行われる二つのハウジング部分の係止結合は補助的な押し合わせを必要としない。更に追加的なボルト結合も不要である。そうでない場合それにもかかわらずボルト結合を行おうとする場合、そのボルトは最終位置に応力無しに固定されたハウジング部分に入れられる。
特に遮へいハウジングとして例えばサブラックを対象とする場合、カバー板の縁は本発明に基づいて横レールのばね溝の中に押し込んだ後はそこから再び曲げ戻されず、むしろその中に固く係止される。従ってこれはハウジング部分間の移行範囲でも最良の電磁遮へいを可能にする。
本発明の他の有利な実施態様は各従属請求項に記載されている。
以下図に示した実施形態を参照して本発明を詳細に説明する。
図１は接触ばね条片がはめ込まれた第１のハウジング部分と第２のハウジング部分とを備えた本発明に基づくハウジングの側面図、
図２は第１のハウジング部分が差し込まれた接触ばね条片によって第２のハウジング部分に接触され係止されている図１におけるハウジングの側面図、
図３は本発明に基づく段重ね遮へい板が前方横レールに接触され係止されるサブラックの前方コーナー部の斜視図、
図４は本発明に基づく第１のハウジング部分が接触ばね条片によって第２のハウジング部分に接触され係止され、第１のハウジング部分が側縁の部位で補助的に支持要素によって支持されている図３に示されたハウジングの側面図である。
図１には本発明に基づく電磁遮へいハウジングの本発明に基づいて形成された第１の金属ハウジング部分ＢＥ並びに第２の金属ハウジング部分ＱＶが示されている。この側面図において第１のハウジング部分ＢＥはまだ第２のハウジング部分ＱＶに取付けられておらず、これら両ハウジング部分ＢＥ、ＱＶの組立前の状態を示している。その第１のハウジング部分ＢＥは少なくとも一つの接触ばね条片ＦＥを備えている。第１のハウジング部分ＢＥと接触ばね条片ＦＥとの結合は主に係止結合あるいは締付け結合に基づいて行われている。
本発明に基づく電磁遮へいハウジングの実施形態において、第１のハウジング部分ＢＥは好適に折り曲げられた縁部ＫＥを有し、この縁部ＫＥに接触ばね条片ＦＥが結合されている。この好適に折り曲げられた縁部ＫＥは特に接触脚となっており、例えばこの場合には板金状の第１のハウジング部分ＢＥの縁曲げによって形成されている。
本発明に基づく電磁遮へいハウジングの異なった実施形態において、接触ばね条片ＦＥは狭隘部ＦＶを有し、接触ばね条片ＦＥはこの狭隘部ＦＶを介して第１のハウジング部分ＢＥに締付け固定されている。その狭隘部ＦＶは例えば接触ばね条片ＦＥの脚部位に、この接触ばね条片ＦＥが第１のハウジング部分ＢＥの縁上に固く差し込めるように形成されている。
図２には、第１のハウジング部分ＢＥが接触ばね条片ＦＥを介して第２の金属ハウジング部分ＱＶに接触され且つ係止されている状態にある図１における本発明に基づく電磁遮へいハウジングが図１に相応した側面図でもう一度示されている。その係止方式は組立を有利に容易にし、ハウジング部分の望ましくない分離を阻止する。弾力的に接する接触ばね条片ＦＥによって、第１のハウジング部分ＢＥと第２のハウジング部分ＱＶとが良導電的に接続され、これによってハウジングの連続する電磁遮へいが生ぜしめられる。
本発明に基づく電磁遮へいハウジングの別の実施形態において、接触ばね条片ＦＥは接触片ＦＫを有している。この接触片ＦＫはこれが第２のハウジング部分ＱＶに弾力的に接しこれと接触され係止されるように広げられている。図２の例において、接触片ＦＫは第２のハウジング部分ＱＶの好適には帯板状をした突出部ＱＫの後ろに引っ掛かっている。
更に第２のハウジング部分ＱＶの好適には帯板状をした支持脚ＱＳは、第１のハウジング部分ＢＥを特にその折り曲げられた縁部ＫＥの範囲で支持するために使われる。
本発明の他の実施形態において、電磁遮へいハウジングはサブラックとして形成されている。その場合、第１のハウジング部分として遮へい板ＢＥ、特に段重ね遮へい板が使用され、第２のハウジング部分として横レールＱＶが使用される。その段重ね遮へい板ＢＥの好適に折り曲げられた縁部ＫＥの幅は特に横レールＱＶに合わされ、段重ね遮へい板ＢＥは接触ばね条片ＦＥによって横レールＱＶに係止される。
図３はこの種のサブラックの前方コーナー部を示している。このサブラックは縁部ＫＥを折り曲げられた少なくとも一つの上側金属段重ね遮へい板ＢＥおよび少なくとも一つの金属前方横レールＱＶを有している。図３の斜視図において段重ね遮へい板ＢＥ上に締付け固定された接触ばね条片ＦＥ（図１および図２）は原理的に一部が示されている。段重ね遮へい板ＢＥは前方横レールＱＶとまだ係止されていない状態にある。
図３の実施形態において補助的に内側に位置する別個の支持要素ＢＫが示されている。この一つあるいは複数の支持要素ＢＫによって、段重ね遮蔽板ＢＥが側壁部ＢＳにその縁部においてコーナー突き合わせ接続させられる。これによって特にサブラックの内部は中断なく電磁遮へいされる。その接続の場合、段重ね遮へい板ＢＥと側壁板ＢＳとの重ね合わせは行われない。それらの側縁はいまやコーナー突き合わせ接続として互いに突き当たり、一つあるいは複数の支持要素ＢＫに結合される。これによって特に縁部における支持要素ＢＫの位置決めに関する変更が生ずる。一つあるいは複数の支持要素ＢＫは特に、例えば別の下側段重ね遮へい板と別の側壁板あるいは前面壁及び／又は背面壁との間のようなサブラックにおける別のコーナー突き合わせ結合に対しても使用される。段重ね遮へい板ＢＥ、側壁板ＢＳおよび支持要素ＢＫを結合するために、特にさら頭ボルトＳＥによるボルト結合が有利であることが分かっている。
更に図３の実施形態においてサブラックは横側コーナー形材ＥＰを有し、これはサブラックの側壁板ＢＳにおよび少なくとも上側コーナー部において前面横レールＱＶに結合されている。段重ね遮へい板ＢＥは特に格子状に配列された通風孔ＲＥを有し、サブラックに挿入されたアセンブリはこの通風孔ＲＥを通して通気される。このサブラックは対称構造に応じて図３に示されていない下側の段重ね遮へい板ＢＥ、別の横レールＱＶおよび別の側壁板ＢＳあるいは前面壁及び／又は背面壁を有する。例えばさら頭ボルトＳＥでボルト結合するために、段重ね遮へい板ＢＥは少なくともそれぞれ側壁板ＢＳに最も接近して位置する縁の側部に取付け孔列ＬＥを有している。
図４は図３に示されているサブラックのコーナー部を側面図で示している。その場合第１のハウジング部分ＢＥは第２のハウジング部分ＱＶに接触され係止されている。第１のハウジング部分ＢＥの好適に折り曲げられた縁部ＫＥに結合された接触ばね条片ＦＥは第２のハウジング部分ＱＶの好適には帯状をした突出部ＱＫの後ろに引っ掛かりこれを係止している。第１のハウジング部分ＢＥを支持するために、第１のハウジング部分ＢＥは折り曲げられていない側縁の部位で支持要素ＢＫによって支持されている。
特に本発明に基づく電磁遮へいハウジングはサブラックとして適している。その場合特に段重ね遮へい板の取付けが有利に単純化される。接触ばね条片ＦＥを介して行われる段重ね遮へい板ＢＥと横レールＱＶとの応力無しの係止結合は補助的な固定ないし押し合わせを必要としない。段重ね遮へい板ＢＥと側壁板ＢＳとの補助的なボルト結合は、大きな安定性が必要とされるときしか必要とされない。そのために例えば有利な支持要素ＢＫによるボルト結合あるいは段重ね遮へい板ＢＥの横側縁部の図３に示されていない縁曲げによるボルト結合が適している。更に特に係止結合によって、段重ね遮へい板ＢＥと横レールＱＶとの移行範囲でも最良に電磁遮へいされる。
【図１】
0003805380.tif 000002
【図２】
0003805380.tif 000003
【図３】
0003805380.tif 000004
【図４】
0003805380.tif 000005